(57)【要約】      （修正有）【課題】カレンダーやスケジュールノート等を見た場合、誰の予定であるのか出所を明確にでき、ブロック体の個人名やデザイン画等を、連結された複数のブロック体から取り外さなくても視認できるスケジュール等の表示用スタンプを提供する。【解決手段】着脱自在に連結された各ブロック体２の一端部には、突状部が形成され、且つ突状部内には浸透体が装着され、他端側が連結する別のブロック体２の突状部が着脱可能な連結部として構成され、各ブロック体２の浸透体の印面の外面には、各種デザイン画と個人名から選択される、異なるデザイン画と少なくとも個人名とが印字されるとともに、各ブロック体の外面２３には、各ブロック体２の印面に印字された各種デザイン画又は個人名と同一の表示内容が表示される。【選択図】図１
0003202249.tif 000002
【実用新案登録請求の範囲】
【請求項１】
複数のブロック体を着脱自在に連結してなるスケジュール等の表示用スタンプにおいて、
各ブロック体の一端部には、突状部が形成され、且つ該突状部内には浸透体が装着され、他端側が連結する別のブロック体の突状部が着脱可能な連結部として構成され、
しかも、各ブロック体の浸透体の印面には、各種デザイン画と個人名から選択される、異なるデザイン画と少なくとも個人名とが印字されるとともに、各ブロック体の外面には、各ブロック体の印面に印字された各種デザイン画又は個人名と同一の表示内容が表示される構成になっている、ことを特徴とするスケジュール等の表示用スタンプ。
【請求項２】
ブロック体の外面に設けられるデザイン画又は個人名の上下方向は、ブロック体の上下方向に沿っていて
浸透体は、ブロック体の下端側に設けられ、
連結部は、ブロック体の上端側に設けられることを特徴とする請求項１に記載のスケジュール等の表示用スタンプ。
【請求項３】
最上段のブロック体の上端部に着脱されるクリップ付きキャップを備え、
ブロック体の下端の浸透体の上側には、インク含浸体が着脱されることを特徴とする請求項１又は２に記載のスケジュール等の表示用スタンプ。
【請求項４】
ブロック体に設けられたデザインのうちの代表デザインと同じデザインのチャームが、キャップの上面に設けられていることを特徴とする請求項１乃至３のいずれか１項に記載のスケジュール等の表示用スタンプ。
【考案の詳細な説明】
【技術分野】
【０００１】
本考案は、カレンダーやスケジュールノート等に所望のデザイン画（図柄やキャラクタ等）を押印するためのスケジュール等の表示用スタンプに関する。
【背景技術】
【０００２】
従来のこの種の表示用スタンプ１００は、装飾性と実用性とを兼ね備えている。具体的に、装飾性として、例えば、女性や若い人は、スケジュールノートに図柄やキャラクタを押印することにより、スケジュールノートをきれいに可愛く飾り付けしている。実用性として、女性や若い人は、自分が理解できるように図柄やキャラクタに対し伝達情報を予め設定し、その日に予定している項目について文字を書かずに図柄やキャラクタによって表示している。このようにすることで、女性や若い人は、自分仕様のスケジュールノートを完成させている。
【０００３】
また、前記表示用スタンプ１００は、例えば、図９に示すように、複数のブロック体１０１を着脱自在に連結して構成される。具体的に、各ブロック体１０１の一端部には、突状部１０２が上向きに突出して形成され、突状部１０２内には、個人名が印字された印面１０３ａを有する印材１０３や、図柄やキャラクタ等の各種デザイン画が印字された印面１０４ａを有する浸透体１０４が設けられている。また、各ブロック体１０１の他端側は、連結する別のブロック体１０１の突状部１０２が着脱可能な連結部１０５として構成される。そして、最上段のブロック体１０１の突状部１０２には、印材１０３の印面１０３ａを押印するための朱肉を有するキャップ１０６が着脱自在に連結される（特許文献１参照）。
【先行技術文献】
【特許文献】
【０００４】
【特許文献１】実公平４−２６７５２号公報
【考案の概要】
【考案が解決しようとする課題】
【０００５】
ところで、前記従来のスケジュール等の表示用スタンプ１００を用いてスケジュールを作成する際、作成したスケジュールが誰のものであるかを明確にするために、個人名を押印する場合がある。この場合、個人名が印字されたブロック体１０１の印面１０３ａに、キャップ１０６内に設けられた朱肉を転着させる必要があり、その作業が煩雑である、という問題がある。
【０００６】
また、連結された複数のブロック体１０１の中から選択したブロック体１０１の印材１０３の印面１０３ａがどのような個人名なのか、もしくは選択したブロック体１０１の浸透体１０４の印面１０４ａがどのようなデザイン画なのか、連結された複数のブロック体１０１から取り外さないと確認できない、という問題がある。
【０００７】
そこで、本考案は、かかる事情に鑑みてなされたもので、ブロック体の印面に朱肉を転着させることなく個人名をカレンダーやスケジュールノート等に容易に押印できて、カレンダーやスケジュールノート等を見た場合、誰の予定であるのか出所を明確にすることができるとともに、連結された複数のブロック体の中から選択したブロック体の個人名やデザイン画等を、連結された複数のブロック体から取り外さなくても確認することができる、スケジュール等の表示用スタンプを提供することを課題とする。
【課題を解決するための手段】
【０００８】
本考案に係るスケジュール等の表示用スタンプは、複数のブロック体を着脱自在に連結してなるスケジュール等の表示用スタンプにおいて、各ブロック体の一端部には、突状部が形成され、且つ該突状部内には浸透体が装着され、他端側が連結する別のブロック体の突状部が着脱可能な連結部として構成され、しかも、各ブロック体の浸透体の印面には、各種デザイン画と個人名から選択される、異なるデザイン画と少なくとも個人名とが印字されるとともに、各ブロック体の外面には、各ブロック体の印面に印字された各種デザイン画又は個人名と同一の表示内容が表示される構成になっている、ことを特徴とする。
【０００９】
かかる構成によれば、複数のブロック体のうち少なくとも１個のブロック体の浸透体の印面には、個人名が印字されているため、印面に朱肉を転着させることなく個人名をカレンダーやスケジュールノート等に容易に押印できる。これにより、カレンダーやスケジュールノート等を見た場合、誰の予定であるのか出所を明確にすることができる。また、各ブロック体の外面には、各ブロック体の印面と同一の個人名やデザイン画を表示しているため、ブロック体の外面に表示された個人名やデザイン画を目視できるようになり、連結された複数のブロック体の中から取り外すことなく、各ブロック体のデザイン画を確認できる。よって、自分のスケジュールを簡単に作成することができる。
【００１０】
また、本考案に係るスケジュール等の表示用スタンプの一態様として、ブロック体の外面に設けられるデザイン画又は個人名の上下方向は、ブロック体の上下方向に沿っていて、浸透体は、ブロック体の下端側に設けられ、連結部は、ブロック体の上端側に設けられることが好ましい。
【００１１】
かかる構成によれば、連結された複数のブロック体の中から、所望するデザイン画又は個人名が外面に表示されたブロック体を一つ選択して、該選択したブロック体を、連結された複数のブロック体から取り外すと、浸透体が下向きに突出しているため、すぐさま押印できる利点がある。
【００１２】
また、本考案に係るスケジュール等の表示用スタンプの他態様として、最上段のブロック体の上端部に着脱されるクリップ付きキャップを備え、ブロック体の下端の浸透体の上側には、インク含浸体が着脱されることが好ましい。
【００１３】
かかる構成によれば、クリップで引っ掛けて保管している状態では、インク含浸体の下に浸透体が位置するため、インクが浸透体に十分に浸透することになり、押印可能な状態を確保できる。
【００１４】
また、本考案に係るスケジュール等の表示用スタンプの他態様として、ブロック体に設けられたデザインのうちの代表デザインと同じデザインのチャームが、キャップの上面に設けられていることが好ましい。
【００１５】
この場合、代表デザインをアピールできる。また、誰のスタンプであるのか識別性を高めることができるようになる。
【考案の効果】
【００１６】
以上の如く、本考案によれば、ブロック体の印面に朱肉を転着させることなく個人名をカレンダーやスケジュールノート等に容易に押印できて、カレンダーやスケジュールノート等を見た場合、誰の予定であるのか出所を明確にすることができる。また、ブロック体の外面には、該ブロック体の印面の印字内容と同一の表示がされているため、ブロック体の個人名やデザイン画等を、連結された複数のブロック体から取り外さなくても視認することができる。
【図面の簡単な説明】
【００１７】
【図１】図１は、本考案の一実施形態に係るスケジュール等の表示用スタンプを示す斜視図。
【図２】図２は、最上段のブロック体を外した状態の側面図。
【図３】図３は、ＩＩＩ―ＩＩＩ線矢視断面図。
【図４】図４は、ＩＶ―ＩＶ線矢視断面図。
【図５】図５は、一のブロック体に対して他のブロック体を回転させて位置をずらした状態を示す平断面図。
【図６】図６は、複数のブロック体の分解斜視図。
【図７】図７は、同実施形態に係るスケジュール等の表示用スタンプの使用態様を示す図。
【図８】図８は、クリップ付きキャップにチャームを取り付けたスケジュール等の表示用スタンプを示す図。
【図９】図９は、従来のスケジュール等の表示用スタンプを示す斜視図。
【考案を実施するための形態】
【００１８】
以下、本考案の一実施形態に係るスケジュール等の表示用スタンプについて図面を参照しつつ説明する。
【００１９】
本実施形態に係るスケジュール等の表示用スタンプ１は、図１〜図６に示すように、着脱自在に連結された複数のブロック体２と、最上段のブロック体２に連結されたクリップ付きキャップ３と、最下段のブロック体２に連結された保護キャップ４とを備える。
【００２０】
ブロック体２は、多角形状（例えば本実施形態では八角形）の断面を有する筒状体で構成される。また、ブロック体２の一端部２０は、閉塞されて平坦面となっている。この閉塞部２０には、環状の突状部２１が同心状に且つ軸方向に下向きに突出して形成される。また、ブロック体２の他端（上端）側は開口されて、連結する別のブロック体２の突状部２１が着脱可能な連結部２２として構成される。
【００２１】
また、ブロック体２の外面２３には、各種デザイン画と個人名から選択される、異なるデザイン画と少なくとも個人名とが表示される構成になっている。ブロック体２の外面２３に表示されるデザイン画又は個人名の上下方向は、ブロック体２の上下方向に沿っている。ここでいう、デザイン画とは、植物、動物、乗り物、飲食物、キャラクタ等を含む。また、個人名とは、氏姓、氏または姓のいずれか、ニックネーム、イニシャル等を含む。
【００２２】
突状部２１内には、浸透体２１０と、該浸透体２１０の上側に配置されたインク含浸体２１１とが配置される。具体的に、浸透体２１０は、ブロック体２の下端側に設けられ、インク含浸体２１１からのインクが浸透する多孔性ゴム板２１２と、該多孔性ゴム板２１２にデザイン画や個人名等が印字された印面２１３とを備える。なお、デザイン画や個人名は、ユーザによって所望のものが選択されて印字されている。
【００２３】
突状部２１の外面には、別のブロック体２の開口端部に連結させるための一対の連結溝が形成される。具体的に、連結溝は、突状部２１の軸線に平行するように、突状部２１の開口端から途中位置にかけて形成された案内溝２３０と、該案内溝２３０の途中位置から周方向に沿って連続して形成された係止溝２３１とを有する。そして、案内溝２３０及び係止溝２３１は、突状部２１において対向した位置に一対形成される。
【００２４】
連結部２２は、ブロック体２の上端側（開口端部）に設けられ、前記一対の連結溝に対応する一対の係止凸部２２０，２２０を備える。具体的には、ブロック体２の開口端部の内面に対角位置に形成される。すなわち、一のブロック体２に他のブロック体２を連結する場合、他のブロック体２を所定角度（例えば本実施形態では４５度）ずらして挿入し、係止凸部２２０を案内溝２３０から係止溝２３１の一端へ移動させた後、他のブロック体２を回転させ、係止凸部２２０を係止溝２３１の一端から他端へ移動させる。これにより、一のブロック体２に他のブロック体２が連結される。
【００２５】
クリップ付きキャップ３は、最上段のブロック体２の上端部に着脱可能に構成される。具体的に、ブロック体２と同様に、多角形状の断面を有し、且つ一端部が閉塞されて平坦面となっている筒状体のキャップ本体３０と、該キャップ本体３０の外面に固着され、且つ先端部が下向きに延出されたクリップ３１とを備える。キャップ本体３０の閉塞端部の外面には、連結溝（案内溝３０１及び係止溝３０２）を有する突状部３００が形成され、最上段のブロック体２の一対の係止凸部２２０，２２０に連結できるよう構成されている。
【００２６】
したがって、最上段のブロック体２にクリップ付きキャップ３が連結された状態においては、クリップ付きキャップ３によってブロック体２の連結部２２が閉塞される。また、クリップ３１によって、スケジュールノートＡの表紙や衣服のポケットに引っ掛けることができ、クリップ３１で引っ掛けて保管している状態では、インク含浸体２１１の下に浸透体２１０が位置するため、インクが浸透体２１０に十分に浸透することになり、押印可能な状態を確保できる。
【００２７】
保護キャップ４は、ブロック体２と同様に、一端部が閉塞されて平坦面となっている筒状体であり、開口端部の内面には、対角位置に一対の係止凸部４０，４０が形成され、ブロック体２の案内溝２３０及び係止溝２３１に連結できるよう構成されている。したがって、ブロック体２に保護キャップ４が連結された状態においては、保護キャップ４によって、ブロック体２の印面２１３が保護される。
【００２８】
つぎに本実施形態に係るスケジュール等の表示用スタンプ１の使用態様について図１、図４、図５，及び図７を参照して説明する。なお、本実施形態において、スケジュール等の表示用スタンプ１はスケジュールノートに押印するものとする。
【００２９】
通常、スケジュール等の表示用スタンプ１は、複数のブロック体２が直列に連結されて棒状を呈しており、最上段のブロック体２にクリップ付きキャップ３が連結され、最下段のブロック体２に保護キャップ４が連結されている。この状態において、各ブロック体２の外面２３に表示されたデザイン画や個人名は同一直線上に並んでおり、どのブロック体２がどのようなデザイン画や個人名が印字されているのかを目視（確認）できるようになっている。
【００３０】
ユーザは、複数のブロック体２のうち、所望するデザイン画又は個人名が表示されたブロック体２を、該ブロック体２の外面２３のデザイン画又は個人名を確認して選択する。以下、一のブロック体２に対する他のブロック体２の着脱について、一対の連結溝と一対の係止凸部２２０，２２０とが連結されることになるが、ここでは、片側の連結溝（案内溝２３０及び係止溝２３１）と係止凸部２２０との連結について説明する。
【００３１】
選択したブロック体２を、連結された複数のブロック体２から取り外す場合は、図４に示す連結された位置から４５度回転させると、図５に示すように、選択したブロック体２の係止凸部２２０が、他のブロック体２の係止溝３０２の他端（閉塞端）から案内溝２３０に繋がる一端へ移動する。この状態から選択したブロック体２を他のブロック体２から軸方向に沿って引き抜くことで、選択したブロック体２の係止凸部２２０が、他のブロック体２の案内溝２３０から開口端部に移動するようになり、選択したブロック体２を他のブロック体２から取り外すことができる。
【００３２】
つぎに、取り外した状態のブロック体２は、印面２１３が下向きに突出しているため、すぐさま押印できる。この際、ブロック体２の外面に表示された個人名やデザイン画等を目視しているため、印面２１３を確認する必要はない。また、個人名やデザイン画等が表示されているブロック体２の外面２３を上向きにして、例えばスケジュールノートＡの紙面に押印することにより、印面２１３のデザイン画又は個人名が正しい向きで、スケジュールノートＡの紙面に押印される。これにより、スケジュールノートＡを見た場合、誰の予定であるのか出所が明確になる。
【００３３】
一方、取り外したブロック体２を他のブロック体２に連結する場合は、他のブロック体２に対して、取り外したブロック体２を４５度ずらして、取り外したブロック体２の突状部２１を他のブロック体２の開口端部内に挿入する。
【００３４】
これにより、取り外したブロック体２の突状部３００の案内溝２３０から係止溝２３１の一端へ他のブロック体２の係止凸部２２０を移動する。この状態から、取り外したブロック体２を４５度逆方向に回転させると、他のブロック体２の開口端部内の係止凸部２２０が係止溝２３１の一端から他端へ移動する。そして、取り外したブロック体２の係止溝２３１の他端（閉塞端）に、他のブロック体２の係止凸部２２０が位置することで、係止溝２３１に係止凸部２２０が係止した状態になる。すなわち、取り外したブロック体２が他のブロック体２に連結された状態になる。
【００３５】
なお、上述したスケジュール等の表示用スタンプ１においては、新たなブロック体２を最下段に連結することも可能であるし、途中位置に連結することも可能である。また、連結されたブロック体２の順番を変えて連結することも可能である。
【００３６】
このように、本実施形態に係るスケジュール等の表示用スタンプによれば、ブロック体２の印面２１３に朱肉を転着させることなく個人名を容易に押印できて、スケジュールノートＡを見た場合、誰の予定であるのか出所が明確になるとともに、連結された複数のブロック体２の中から選択したブロック体２の印面は、どのようなデザイン画や個人名が印字されているのか、連結された複数のブロック体２から取り外さなくても確認することができる。
【００３７】
なお、本考案は、前記実施形態に限定されるものではなく、本考案の要旨を逸脱しない範囲で種々の変更が可能である。
【００３８】
例えば、前記実施形態の場合、ブロック体２の断面形状を八角形としたが、円形、楕円形、八角形を除く多角形状であってもよい。
【００３９】
また、前記実施形態の場合、複数のブロック体２の連結構造として、一対の連結溝（案内溝２３０及び係止溝２３１）と、該一対の連結溝に対応する一対の係止凸部２２０，２２０とを備えた連結構造を一例として説明したが、雄ねじと雌ねじとの螺合、凹凸嵌合等その他の連結構造であってもよい。
【００４０】
また、前記実施形態の場合、ブロック体２の素材や色については言及していないが、ブロック体２の素材としては、木製、合成樹脂、金属製のいずれであってもよく、着色されたもの、無色透明のものであってもよい。
【００４１】
また、前記実施形態の場合、表示用スタンプ１をスケジュールノートＡに押印するようにしたが、カレンダー、手帳、伝言板、日記帳に押印するようにしてもよく、特殊インクを使用して紙おむつやゴルフボールに押印するようにしてもよい。
【００４２】
また、前記実施形態の場合、キャップ本体３０と、該キャップ本体３０に固着されたクリップ３１とを備えたクリップ付きキャップ３としたが、図８に示すように、ブロック体２に設けられたデザインのうちの代表デザインと同じデザインのチャーム５を、キャップ本体３０の上面にキャラクタや個人名等のチャームを取り付けるようにしてもよい。この場合、代表デザインをアピールできるとともに、スケジュール等の表示用スタンプ１が誰のものであるのか、スケジュール等の表示用スタンプ１自体の識別性を高めることもできる。
【符号の説明】
【００４３】
１…スケジュール等の表示用スタンプ、２…ブロック体、２０…閉塞部、２１…突状部、２１０…浸透体、２１１…インク含浸体、２１２…多孔性ゴム板、２１３…印面、２２…連結部、２２０…係止凸部、２３…ブロック体の外面、２３０…案内溝、２３１…係止溝、３…キャップ、３０…キャップ本体、３１…クリップ、３００…突状部、３０１…案内溝、３０２…係止溝、４…保護キャップ、４０…係止凸部、５…チャーム、Ａ…スケジュールノート
【図１】
0003202249.tif 000003
【図２】
0003202249.tif 000004
【図３】
0003202249.tif 000005
【図４】
0003202249.tif 000006
【図５】
0003202249.tif 000007
【図６】
0003202249.tif 000008
【図８】
0003202249.tif 000009
【図９】
0003202249.tif 000010
【図７】
0003202249.tif 000011